(57)【要約】【課題】通信路の一部で光信号が使用されても、信号劣化を低減することができる通信装置を提供する。【解決手段】送信すべき情報を示す電気信号に対して、電気信号の伝送による信号劣化を低減する信号補正を行う信号補正部と、信号補正された電気信号を、信号補正部が行った信号補正を示す情報を重畳させたデジタル信号に変換する変換部と、変換部が変換したデジタル信号に応じて発光する発光部とを有する。変換部は、信号補正された電気信号を、信号補正部が行った信号補正を示す情報を重畳させたデジタル信号に変換してもよい。【選択図】図３
2013153259.tif 000002
【特許請求の範囲】
【請求項１】
送信すべき情報を示す電気信号に対して、前記電気信号の伝送による信号劣化を低減する信号補正を行う信号補正部と、
信号補正された前記電気信号を、前記信号補正部が行った信号補正を示す情報を重畳させたデジタル信号に変換する変換部と、
前記変換部が変換したデジタル信号に応じて発光する発光部と、
を有する通信装置。
【請求項２】
前記信号補正部は、
前記電気信号の振幅を変化させる信号補正を行い、
前記変換部は、
信号補正された前記電気信号の振幅が示す情報を保持するようにＡ／Ｄ変換することによって、信号補正された前記電気信号を、前記信号補正部が行った信号補正を示す情報を重畳させたデジタル信号に変換し、
前記発光部は、
前記変換部が変換したデジタル信号に対応する強度の光を発光すること
を特徴とする請求項１に記載の通信装置。
【請求項３】
前記信号補正部は、
予め定められた情報に応じて、送信すべき情報を示す電気信号に対して信号補正を行い、
前記変換部は、
信号補正された前記電気信号を、前記予め定められた情報を符号化して前記送信すべき情報に重畳させたデジタル信号に変換すること
を特徴とする請求項１に記載の通信装置。
【請求項４】
前記変換部は、
波長分割多重させる波長の少なくともいずれかに対し、前記信号補正部が行った信号補正を示す情報を符号化して重畳させること
を特徴とする請求項３に記載の通信装置。
【請求項５】
前記変換部は、
前記信号補正部が信号補正を行った電気信号の整数倍の通信速度のデジタル信号に変換すること
を特徴とする請求項３又は４に記載の通信装置。
【請求項６】
信号補正を示す情報が重畳されている光信号を受信し、受信した光信号を電気信号に変換する受光部と、
前記受光部が変換した電気信号をアナログ信号に変換するＤ／Ａ変換部と、
をさらに有することを特徴とする請求項１に記載の通信装置。
【請求項７】
信号補正のパターンを特定する第１の特定情報を含む光信号を受光し、受光した光信号をデジタルの電気信号に光電変換する光電変換部と、
前記第１の特定情報を記憶する第１の記憶部と、
前記第１の特定情報により特定される信号補正のパターンで電気信号の信号補正を行うことにより、電気信号の伝送による信号劣化を低減する信号補正部と、
前記信号補正部が信号補正した電気信号に応じて発光する発光部と、
信号補正のパターンを特定する第２の特定情報を記憶する第２の記憶部と、
前記第２の特定情報により特定される信号補正のパターンで、前記光電変換部が光電変換したデジタルの電気信号を復元する復元部と、
前記復元部が復元した電気信号のビット誤り率が予め決められた閾値に達するまで、前記第２の特定情報を更新し、当該更新した前記第２の特定情報を含む電気信号を前記信号補正部が信号補正するよう制御する制御部と、
を有する通信装置。
【請求項８】
ＰＣＩ  ＥＸＰＲＥＳＳに準拠するトレーニングシーケンスで送受信するプリセット値に応じて、前記第１の記憶部は前記第１の特定情報を記憶し、前記第２の記憶部は前記第２の特定情報を記憶すること
を特徴とする請求項７に記載の通信装置。
【請求項９】
通信装置で実行される通信方法であって、
送信すべき情報を示す電気信号に対して、前記電気信号の伝送による信号劣化を低減する信号補正を行う工程と、
信号補正された前記電気信号を、前記信号補正を示す情報を重畳させたデジタル信号に変換する工程と、
変換したデジタル信号に応じて発光する工程と、
を含むことを特徴とする通信方法。
【請求項１０】
通信装置で実行される通信方法であって、
信号補正のパターンを特定する第１の特定情報を含む光信号を受光する工程と、
受光した光信号をデジタルの電気信号に光電変換する工程と、
前記第１の特定情報を第１の記憶部に記憶する工程と、
前記第１の特定情報により特定される信号補正のパターンで電気信号の信号補正を行うことにより、電気信号の伝送による信号劣化を低減する工程と、
信号補正した電気信号に応じて発光する発光部と、
信号補正のパターンを特定する第２の特定情報を第２の記憶部に記憶すると、
前記第２の特定情報により特定される信号補正のパターンで、光電変換されたデジタルの電気信号を復元する工程と、
復元された電気信号のビット誤り率が予め決められた閾値に達するまで、前記第２の特定情報を更新し、当該更新した前記第２の特定情報を含む電気信号を信号補正するよう制御する工程と、
を含むことを特徴とする通信方法。
【発明の詳細な説明】
【技術分野】
【０００１】
本発明は、通信装置及び通信方法に関する。
【背景技術】
【０００２】
従来、高速シリアル通信においては、デジタル信号の符号間干渉（Inter  symbol  interference：ISI）などにより、信号劣化が生じることが知られている。符号間干渉は、論理反転が頻繁に発生する信号パターンと、同一論理が連続する信号パターンとで受信側の信号振幅に差が生じる現象である。
【０００３】
符号間干渉の対策としては、論理反転が起こる場合の信号レベルを相対的に強調する方法（エンファシス：emphasis）が一般的である。また、伝送路の特性によって変化を受けた信号波形の復元や変化の最小化を目的に、受信信号を調整するイコライザを設けることが行われている。
【０００４】
例えば、特許文献１には、検出された受信器の特性に基づいてイコライザパラメータを決定するイコライザパラメータ設定装置が開示されている。
【０００５】
また、特許文献２には、所定の判定基準と、検出されたレシーバの特性とに基づいて信号強度パラメータ、信号振幅パラメータ及びイコライザパラメータを決定するパラメータ設定装置が開示されている。
【０００６】
また、特許文献３には、光信号が変換された電気信号の波形補正を行うイコライザに対してフィルタパラメータ値を設定するイコライザ制御装置が開示されている。
【発明の概要】
【発明が解決しようとする課題】
【０００７】
しかしながら、通信路の一部で光信号が使用される場合、電気信号の振幅を変化させてイコライジングを行っても、デジタル信号を示す発光素子のオン・オフでは振幅の変化が消されるため、送信側で付与したイコライジング信号が失われて受信側で受信されず、信号劣化を低減できないという問題があった。
【０００８】
本発明は、上記に鑑みてなされたものであって、通信路の一部で光信号が使用されても、信号劣化を低減することができる通信装置及び通信方法を提供することを目的とする。
【課題を解決するための手段】
【０００９】
上述した課題を解決し、目的を達成するために、本発明は、送信すべき情報を示す電気信号に対して、前記電気信号の伝送による信号劣化を低減する信号補正を行う信号補正部と、信号補正された前記電気信号を、前記信号補正部が行った信号補正を示す情報を重畳させたデジタル信号に変換する変換部と、前記変換部が変換したデジタル信号に応じて発光する発光部と、を有することを特徴とする。
【００１０】
また、本発明は、信号補正のパターンを特定する第１の特定情報を含む光信号を受光し、受光した光信号をデジタルの電気信号に光電変換する光電変換部と、前記第１の特定情報を記憶する第１の記憶部と、前記第１の特定情報により特定される信号補正のパターンで電気信号の信号補正を行うことにより、電気信号の伝送による信号劣化を低減する信号補正部と、前記信号補正部が信号補正した電気信号に応じて発光する発光部と、信号補正のパターンを特定する第２の特定情報を記憶する第２の記憶部と、前記第２の特定情報により特定される信号補正のパターンで、前記光電変換部が光電変換したデジタルの電気信号を復元する復元部と、前記復元部が復元した電気信号のビット誤り率が予め決められた閾値に達するまで、前記第２の特定情報を更新し、当該更新した前記第２の特定情報を含む電気信号を前記信号補正部が信号補正するよう制御する制御部と、を有することを特徴とする。
【００１１】
また、本発明は、通信装置で実行される通信方法であって、送信すべき情報を示す電気信号に対して、前記電気信号の伝送による信号劣化を低減する信号補正を行う工程と、信号補正された前記電気信号を、前記信号補正を示す情報を重畳させたデジタル信号に変換する工程と、変換したデジタル信号に応じて発光する工程と、を含むことを特徴とする。
【００１２】
また、本発明は、通信装置で実行される通信方法であって、信号補正のパターンを特定する第１の特定情報を含む光信号を受光する工程と、受光した光信号をデジタルの電気信号に光電変換する工程と、前記第１の特定情報を第１の記憶部に記憶する工程と、前記第１の特定情報により特定される信号補正のパターンで電気信号の信号補正を行うことにより、電気信号の伝送による信号劣化を低減する工程と、信号補正した電気信号に応じて発光する発光部と、信号補正のパターンを特定する第２の特定情報を第２の記憶部に記憶すると、前記第２の特定情報により特定される信号補正のパターンで、光電変換されたデジタルの電気信号を復元する工程と、復元された電気信号のビット誤り率が予め決められた閾値に達するまで、前記第２の特定情報を更新し、当該更新した前記第２の特定情報を含む電気信号を信号補正するよう制御する工程と、を含むことを特徴とする。
【発明の効果】
【００１３】
本発明によれば、通信路の一部で光信号が使用されても、信号劣化を低減することができるという効果を奏する。
【図面の簡単な説明】
【００１４】
【図１】図１は、第１の実施形態にかかる通信装置間で通信を行う通信システムの構成を示す構成図である。
【図２】図２は、信号補正部が行うイコライゼーション（信号補正）の例を示す図表である。
【図３】図３は、ＥＯ変換部及びＯＥ変換部の機能を示すブロック図である。
【図４】図４は、図１に示したＥＯ変換部及びＯＥ変換部の変形例を示すブロック図である。
【図５】図５は、ＥＯ変換部が多ビットで符号化した光信号の送信信号例である。
【図６】図６は、第２の実施形態にかかる通信装置の機能を示すブロック図である。
【図７】図７は、ＥＱ設定テーブルが記憶するプリセットの一覧を示す図表である。
【図８】図８は、プリセットを記憶するレジスタ例である。
【図９】図９は、第２の実施形態にかかる２つの通信装置がイコライジングパターンを選択する動作を示すシーケンス図である。
【発明を実施するための形態】
【００１５】
以下に添付図面を参照して、通信装置間で通信を行う通信システムの実施の形態を詳細に説明する。
【００１６】
（第１の実施形態）
図１は、第１の実施形態にかかる通信装置間で通信を行う通信システム１の構成を示す構成図である。通信システム１は、送信装置１０と受信装置１２とが光ファイバなどの光通信路１４を介して接続された高速シリアル通信システムである。
【００１７】
通信システム１の送信側には、送信装置１０の出力を信号補正する信号補正部１６と、信号補正部１６が出力する電気信号を光信号に変換する電光変換部（ＥＯ変換部）２とが設けられている。また、通信システム１の受信側には、光通信路１４を介して伝送される光信号を電気信号に変換する光電変換部（ＯＥ変換部）３が設けられている。
【００１８】
なお、通信システム１においては、送信装置１０、信号補正部１６及びＥＯ変換部２が送信側の１つの通信装置を構成し、ＯＥ変換部３及び受信装置１２が受信側の１つの通信装置を構成してもよい。また、１つの通信装置が送信装置１０、信号補正部１６及びＥＯ変換部２を備えた送信機能と、ＯＥ変換部３及び受信装置１２を備えた受信機能との両方の機能を有していてもよい。１つの通信装置が送信機能と受信機能とを有している場合、通信システム１は双方向通信を行うことができる。
【００１９】
送信装置１０は、デジタル信号入力を受入れ、例えば５Ｇｂｐｓ以上の通信速度で電気信号を送信（出力）する。送信装置１０は、例えば低電圧の差動信号ＴＸ＋、ＴＸ−を出力する。なお、送信装置１０が出力する差動信号ＴＸ＋、ＴＸ−は、デジタル値を示す振幅を有するアナログ電気信号である。
【００２０】
受信装置１２は、例えば５Ｇｂｐｓ以上の通信速度で電気信号を受信する。受信装置１２は、例えば低電圧の差動信号ＲＸ＋、ＲＸ−を受信する。なお、受信装置１２が受信する差動信号ＲＸ＋、ＲＸ−は、デジタル値を示す振幅を有するアナログ電気信号である。
【００２１】
信号補正部１６は、図１に示すように、送信装置１０が出力する電気信号にエンファシスなどのイコライゼーションを行うことにより、電気信号の伝送による信号劣化を低減する。信号補正部１６は、予め決められた規則（予め定められた情報）に従ってイコライゼーション（信号補正）を行う。
【００２２】
イコライゼーション（ＥＱ）には、例えば、図２に示すように、プリエンファシス（pre-emphasis）、ディエンファシス（de-emphasis）及びプリシュート（preshoot）がある。プリエンファシスは、論理反転が起こる信号（遷移ビット）の振幅を上げる強調である。ディエンファシスは、論理反転が起こらない信号（非遷移ビット）の振幅を下げる信号補正である。つまり、伝送による論理反転を生じる信号にイコライゼーションを行うことにより、受信側での遷移ビットと非遷移ビットとのレベル差を小さくすることができる。
【００２３】
また、２ビット以上のビットパターンを参照して振幅を細かく制御する方法もある。プリシュートは、遷移ビット直前のビット振幅も制御するものであり、ＰＣＩ  ＥＸＰＲＥＳＳ（登録商標）３．０で定義されている。
【００２４】
次に、ＥＯ変換部２及びＯＥ変換部３について詳述する。図３は、ＥＯ変換部２及びＯＥ変換部３の機能を示すブロック図である。ＥＯ変換部２は、送信信号変換部２０、駆動回路２２及び発光部２４を有する。送信信号変換部２０は、アナログ信号をデジタル信号に変換するＡ／Ｄ変換部２００を有する。
【００２５】
送信信号変換部２０は、差動信号ＴＸ＋、ＴＸ−を受入れ、それぞれデジタル信号に変換する。また、送信信号変換部２０は、差動信号ＴＸ＋、ＴＸ−に対して差をとり、１つの制御信号に変換して駆動回路２２に対して出力する。つまり、送信信号変換部２０は、信号補正部１６が信号補正を行った電気信号を、信号補正部１６が行った信号補正を示す情報を重畳させたデジタル信号に変換している。
【００２６】
駆動回路２２は、送信信号変換部２０から受入れたデジタル信号の値（制御信号）に応じて発光部２４が発光する光の強度が変化するように発光部２４を駆動する。発光部２４は、例えばレーザダイオード（ＬＤ）などの発光素子である。
【００２７】
したがって、ＥＯ変換部２は、信号補正部１６（図１）がイコライゼーションを行った送信側差動信号（デジタル値を示す振幅を有するアナログ電気信号）を受入れると、当該送信側差動信号の振幅に対応して異なる光強度の光信号出力を行う。
【００２８】
ＯＥ変換部３は、受光部３０及び受信信号変換部３２を有する。受光部３０は、例えばフォトダイオード（ＰＤ）などの受光素子である。受光部３０は、受光した光信号を電気信号（デジタル信号である受信信号）に変換し、受信信号変換部３２に対して出力する。
【００２９】
受信信号変換部３２は、デジタル信号をアナログ信号に変換するＤ／Ａ変換部３２０を有する。受信信号変換部３２は、受光部３０から受信信号を受け入れると、差動信号ＲＸ＋、ＲＸ−を再生する。また、受信信号変換部３２は、再生した差動信号ＲＸ＋、ＲＸ−をアナログ信号に変換して出力する。
【００３０】
つまり、ＯＥ変換部３は、光信号出力を受入れると、ＥＯ変換部２が受入れた送信側差動信号に対応する受信側差動信号を復元している。
【００３１】
なお、発光部２４の光信号出力は、信号補正部１６が出力する電気信号のレベルに比例している。ただし、駆動回路２２と発光部２４の特性、及び受光部３０の特性に応じて送信信号変換部２０が非線形な出力制御を行ってもよい。この場合、受信信号変換部３２が非線形な出力に対する補正制御を行う。
【００３２】
このように、第１の実施形態にかかる通信装置間で通信を行う通信システム１は、送信すべき情報を示す電気信号に対して、信号劣化を低減する信号補正を示す情報を重畳させたデジタル信号に変換することを行うので、信号補正を示す情報を伝送することができ、通信路の一部で光信号が使用されても、信号劣化を低減することができる。
【００３３】
次に、通信システム１の変形例について説明する。第１の実施形態にかかる通信システム１は、送信側差動信号の振幅に対応して異なる光強度の光信号出力を行うことにより、信号補正部１６が行った信号補正を示す情報を送信していた。通信システム１は、信号補正部１６が行った信号補正を示す情報を光信号で多重化させて送信するように構成されてもよい。以下、信号補正を示す情報を光信号で多重化させて送信するように構成した変形例について説明する。
【００３４】
（変形例）
変形例において、送信信号変換部２０（図３）は、Ａ／Ｄ変換部２００がデジタル信号に変換した電気信号を符号化する。例えば、電気信号が８レベルの場合、ＥＯ変換部２は、３ビットで符号化した信号を光信号に変換する。ＯＥ変換部３は、符号化された信号をデコードすることにより、８レベルの電気信号に復元する。
【００３５】
図４は、図１に示したＥＯ変換部２及びＯＥ変換部３の変形例を示すブロック図である。変形例において、ＥＯ変換部２は、光通信路１４を介して多ビットで符号化した光信号を送信するために、例えばＷＤＭ（波長分割多重）を行う。ＷＤＭは、複数の異なる波長の光を使用することにより、１本の光通信路１４で複数ビットの通信を実現する技術である。図４に示したＥＯ変換部２及びＯＥ変換部３の変形例は、図５（ａ）に示した３つの波長の光信号を同時に送信することができる。そして、ＥＯ変換部２は、例えば波長分割多重させる波長の少なくともいずれかに対し、信号補正部１６が行った信号補正を示す情報を符号化して重畳させる。
【００３６】
図４に示すように、ＥＯ変換部２は、第１の実施形態における発光部２４の代わりに、３つの発光部２４ａ、２４ｂ、２４ｃと、集光レンズ２６とを有する。また、駆動回路２２は、送信部２０の制御によって発光部２４ａ、２４ｂ、２４ｃをそれぞれ駆動する。３つの発光部２４ａ、２４ｂ、２４ｃは、それぞれ波長が異なる例えば３つの光信号（波長λ１、λ２、λ３）を出力する。なお、ＥＯ変換部２は、複数の異なる波長の出力を行うことによって信号を多重化するものであればよく、３つの異なる波長の出力を行うことに限定されない。
【００３７】
また、ＯＥ変換部３は、第１の実施形態における受光部３０の代わりに、分光器３４と、３つの受光部３０ａ、３０ｂ、３０ｃとを有する構成であってもよい。分光器３４は、波長λ１、λ２、λ３の３つの光信号を分光し、３つの受光部３０ａ、３０ｂ、３０ｃに対してそれぞれ出力する。そして、受信信号変換部３２は、受光部３０ａ、３０ｂ、３０ｃが出力する受信信号を受け入れて受信符号化処理（復号化）を行う。受光部３０ａ、３０ｂ、３０ｃは、同一の構成であってもよい。
【００３８】
そして、送信信号変換部２０は、予め定められた信号補正を示す情報を任意の方法で符号化する。駆動回路部２２は、発光部２４ａ、２４ｂ、２４ｃの少なくともいずれかが出力する波長の光信号に符号化された信号補正を示す情報が重畳されるように発光部２４ａ、２４ｂ、２４ｃを駆動する。信号補正を示す情報が重畳されていない光信号を出力する発光部２４ａ、２４ｂ、２４ｃのいずれかは、送信すべき情報を示す光信号を出力する。また、ＥＯ変換部２は、信号補正を示す情報のみに対応する光信号を発光部２４ａ、２４ｂ、２４ｃのいずれかが出力するように構成されてもよい。
【００３９】
また、送信信号変換部２０は、信号補正部１６が信号補正した信号から信号補正を示す情報を抽出し、抽出した情報を符号化するように構成されてもよい。
【００４０】
また、ＥＯ変換部２は、ＷＤＭを行うことに代えて、多値光変調技術を用いて送信すべき情報を示す光信号と信号補正を示す情報に対応する光信号とを合わせた光信号を出力するように構成されてもよい。多値光変調方式には、ＱＰＳＫ（４位相偏移変調）、８ＰＳＫ（８位相偏移変調）及び１６ＱＡＭ（１６値直交振幅変調）等がある。ＥＯ変換部２は、必要な符号ビット数に応じて使用する変調方式を選択する。例えば、送信信号変換部２０は、ＱＰＳＫ（４値＝２ビット）又は８ＰＳＫ（８値＝３ビット）を行う。
【００４１】
また、送信信号変換部２０は、図５（ｂ）に示すように、信号補正部１６が信号補正を行った電気信号を、当該電気信号の整数倍の通信速度のデジタル信号に変換するように構成されてもよい。例えば４Ｇｂｐｓのデータ通信速度で１ビット情報を送受信する場合、光スイッチング時間は５００ｐｓである。スイッチング時間を１２５ｐｓ（４倍）にすれば２ビットの情報を転送することができる。電気信号の場合にデータ反転時間を４倍にすると、伝搬損失による信号劣化が激しくなってしまう。
【００４２】
しかし、光信号に変換した状態でスイッチング時間を短くしても信号劣化の程度は電気信号に比べて低い。そして、送信信号変換部２０は、通信速度を電気信号の整数倍にする場合に、送信すべき情報に対して、信号補正部１６が行った信号補正を示す情報を符号化して重畳させてもよい。つまり、送信信号変換部２０は、送信すべき情報を示す光信号と信号補正を示す情報に対応する光信号とを時分割多重させて送信するように構成されてもよい。
【００４３】
このように、通信システム１の変形例は、送信すべき情報を示す光信号と信号補正を示す情報に対応する光信号とを多重化（任意の多重化又は変調）させて送信するので、送信側で行った信号補正を受信側で復元でき、通信路の一部で光信号が使用されても、信号劣化を低減することができる。
【００４４】
次に、通信システム１の第２の実施形態について説明する。第２の実施形態にかかる通信システム１は、送信側の通信装置と受信側の通信装置とが同一の構成となっている。以下、送信側の通信装置と受信側の通信装置とが同一の構成である第２の実施形態にかかる通信システムについて説明する。
【００４５】
（第２の実施形態）
図６は、第２の実施形態にかかる通信装置４の機能を示すブロック図である。通信装置４は、ＣＰＵ４０、メモリ４２、光トランシーバ４４及びコントローラハブ（Platform  Controller  Hub：ＰＣＨ）４６を有する。通信装置４は、例えばＰＣＩ  ＥＸＰＲＥＳＳ（登録商標）３．０仕様に準拠し、光信号を送受信する。つまり、通信装置４は、送信装置及び受信装置の機能を備える。ＣＰＵ４０は、ＤＭＩ（Direct  Media  Interface）４１ａ又はＳＭＢｕｓ（System  Management  Bus）４１ｂを介して、通信装置４を構成する各部を制御する。
【００４６】
メモリ４２は、ＣＰＵ４０が実行するプログラムや、ＣＰＵ４０がプログラムを実行する場合に使用するデータなどを記憶する。メモリ４２は、ＲＯＭ（Read  Only  Memory）及びＲＡＭ（Random  Access  Memory）などにより構成できる。
【００４７】
光トランシーバ４４は、電光変換部４４０、送信処理部４４１、光電変換部４４２、受信処理部４４３、ＥＱ（イコライザ）設定テーブル４４４及び第２レジスタ４４５を有する。電光変換部４４０は、発光部（ＬＤ）及び駆動回路（ＬＤＤ）を含み、光信号の送信信号ＴＸを出力する。送信処理部４４１は、差動信号の送信信号ＴＸを受入れ、それぞれの差をとって１つの電気信号である送信信号ＴＸを電光変換部４４０に対して出力する。
【００４８】
光電変換部４４２は、受光部（ＰＤ）及び増幅器（Ａｍｐ）を含み、光信号の受信信号ＲＸを受入れ、電気信号の受信信号ＲＸを受信処理部４４３に対して出力する。受信処理部４４３は、１つの電気信号である受信信号ＲＸを受入れ、第２レジスタ４４５が記憶する設定に応じてＥＱ設定テーブル４４４を参照し、差動の受信信号ＲＸをコントローラハブ４６に対して出力する。
【００４９】
ＥＱ設定テーブル４４４は、予め記憶されている信号補正を示す情報（プリセット）などを含むテーブルである。図７は、通信プロトコルがＰＣＩ  ＥＸＰＲＥＳＳ（登録商標）３．０である場合に、ＥＱ設定テーブル４４４が記憶するプリセットの一覧を示す図表である。図７に示すように、ＥＱ設定テーブル４４４は、ディエンファシスとプリシュートの組合せを含む。ＰＣＩ  ＥＸＰＲＥＳＳ（登録商標）３．０では、通信装置４は、トレーニングシーケンス（通信を確立するための処理の手順）の実行中に送受信される「ＴＳ１  Ｏｒｄｅｒｅｄ  Ｓｅｔ」又は「ＴＳ２  Ｏｒｄｅｒｅｄ  Ｓｅｔ」と呼ばれるデータ集合（パケット）にプリセットを埋め込むことにより、他の通信装置４に対するプリセットの送受信を行う。プリセットは、送受信両方向の通信で最適なものが選択される。選択されたプリセットの値（Ｐｒｅｓｅｔ値）は、図８に示した「Ｌｉｎｋ  Ｃｏｎｔｒｏｌ  ２  Ｒｅｇｉｓｔｅｒ（３０ｈ）」のｂｉｔ[１５:１２]に保持される。
【００５０】
第２レジスタ４４５（図６）は、通信相手となる他の通信装置に対して指定したプリセットなどを記憶する第２の記憶部である。第２レジスタ４４５が記憶するプリセットなどの値は、パケット受信時に信号補正を復元するために使用される。具体的には、第２レジスタ４４５は、「Ｌｉｎｋ  Ｃｏｎｔｒｏｌ  ２  Ｒｅｇｉｓｔｅｒ（３０ｈ）」のｂｉｔ[１５:１２]と同じ仕様のレジスタを有する。そして、第２レジスタ４４５は、ＣＰＵ４０の制御により、記憶しているデータを用いた制御信号を送信処理部４４１、受信処理部４４３及びＥＱ設定テーブル４４４に対して出力する。
【００５１】
そして、第２レジスタ４４５は、ＳＭＢｕｓ４１ｂを介して読み書き可能にされている。第１レジスタ５０２のｂｉｔ[１５:１２]が第２レジスタ４４５に書込まれると、通信装置４は、受信した光信号を変換した電気信号に対して、光信号を送信した通信装置４が電気信号に付与したイコライジングパターンと同じイコライジングパターンを付与する。
【００５２】
コントローラハブ（Platform  Controller  Hub：ＰＣＨ）４６は、ＰＣＩｅコントローラ５０を含む構成になっている。ＰＣＩｅコントローラ５０は、プロトコル制御部５００、第１レジスタ５０２、Ｓ−Ｐ（シリアル／パラレル）変換器５０４及びトランシーバ５０６を有する。ＰＣＩｅコントローラ５０は、ＣＰＵ４０とともに光トランシーバ４４を制御する。
【００５３】
プロトコル制御部５００は、ＰＣＩｅプロトコル制御ブロックである。第１レジスタ５０２は、通信相手となる他の通信装置から指定されたプリセットなどを記憶する第１の記憶部である。第１レジスタ５０２が記憶するプリセットなどの値は、パケット送信時の信号補正に使用される。第１レジスタ５０２には、上述した「Ｌｉｎｋ  Ｃｏｎｔｒｏｌ  ２  Ｒｅｇｉｓｔｅｒ（３０ｈ）」も含まれている。Ｓ−Ｐ変換器５０４は、シリアル信号をパラレル信号に変換するとともに、パラレル信号をシリアル信号に変換する。トランシーバ５０６は、ＰＣＩｅトランシーバであり、電気信号の差動信号で送受信を光トランシーバ４４との間で行う。
【００５４】
また、通信装置４において、受信処理部４４３、トランシーバ５０６、プロトコル制御部５００及びＣＰＵ４０は、復元部を構成している。また、通信装置４において、送信処理部４４１、トランシーバ５０６、プロトコル制御部５００及びＣＰＵ４０は、信号補正部を構成している。
【００５５】
次に、第２の実施形態にかかる２つの通信装置４（図６）間で双方向の最適なイコライジングパターンを選択する動作について説明する。図９は、第２の実施形態にかかる２つの通信装置４がイコライジングパターンを選択する動作を示すシーケンス図である。２つの通信装置４は、フェーズ０〜フェーズ３の４つのフェーズにおける動作により、イコライジングパターンを選択（イコライジングを最適化）する。図９においては、左側に示した通信装置４を第１の通信装置４（上流側）とし、右側に示した通信装置４を第２の通信装置４（下流側）として区別する。
【００５６】
［フェーズ０］
第２の通信装置４は、第１の通信装置４が使用するＴＸ  Ｐｒｅｓｅｔ（ＰＳ０）を「ＴＳ２  Ｏｒｄｅｒｅｄ  Ｓｅｔ」を用いて指定する。第１の通信装置４は、指定されたＴＸ  Ｐｒｅｓｅｔを読取り、第１レジスタ５０２に書込む。
【００５７】
［フェーズ１］
第２の通信装置４は、当該第２の通信装置４が使用するＴＸ  Ｐｒｅｓｅｔ（ＰＳ１）を第１レジスタ５０２にセットする。第１の通信装置４及び第２の通信装置４は、この状態で双方向通信を行い、ビット誤り率（BER：Bit  Error  Rate)が１０ｅ−４以下であることを確認する。
【００５８】
第１の通信装置４及び第２の通信装置４は、第２レジスタ４４５にＰｒｅｓｅｔ値が設定されていないので、受信する電気信号にはイコライゼーションが付与されない。ただし、フェーズ１においては、ビット誤り率が１０ｅ−４以下であれば、イコライジングパターンを選択するシーケンスを続けることに対して問題とはならない。
【００５９】
［フェーズ２］
第１の通信装置４は「ＴＳ１  Ｏｒｄｅｒｅｄ  Ｓｅｔ」を使って第２の通信装置４が使用するＴＸ  Ｐｒｅｓｅｔ（ＰＳ２ａ）を指定する。第２の通信装置４は、指定されたＴＸ  Ｐｒｅｓｅｔを第１レジスタ５０２に書込む。具体的には、プロトコル制御部５００が第１レジスタ５０２の「Ｌｉｎｋ  Ｃｏｎｔｒｏｌ  ２  Ｒｅｇｉｓｔｅｒ（３０ｈ）」にＰｒｅｓｅｔ値（ＰＳ２ａ）を書込む。第１の通信装置４は、ＳＭＢｕｓ４１ｂ経由で第２レジスタ４４５にもＴＸ  Ｐｒｅｓｅｔ（ＰＳ２ａ）を書込む。
【００６０】
この状態で、第１の通信装置４は、第２の通信装置４からの通信データのビット誤り率を計測する。第２の通信装置４が送信する電気信号には、第１レジスタ５０２に記憶されたＴＸ  Ｐｒｅｓｅｔ（ＰＳ２ａ）に対応したイコライゼーションが付与さる。光通信経路では、イコライゼーション情報は失われている。しかし、第１の通信装置４は、受信する電気信号に対して、第２レジスタ４４５が記憶しているＴＸ  Ｐｒｅｓｅｔ（ＰＳ２ａ）に対応するイコライゼーションを付与することができる。
【００６１】
したがって、送受信側の電気信号に同一のイコライゼーションが付与されることになる。つまり、電気信号伝送経路での信号劣化を抑えることが可能になる。ビット誤り率が１０ｅ−１２以下になっていない場合には、第１の通信装置４は、ＴＸ  Ｐｒｅｓｅｔ（ＰＳ２ａ）とは異なるＴＸ  Ｐｒｅｓｅｔ（ＰＳ２ｂ）を改めて指定する。第１の通信装置４は、ＴＸ  Ｐｒｅｓｅｔの調整をビット誤り率が１０ｅ−１２以下になるまで、ＴＸ  Ｐｒｅｓｅｔの指定を繰り返す。
【００６２】
［フェーズ３］
第２の通信装置４は、「ＴＳ１  Ｏｒｄｅｒｅｄ  Ｓｅｔ」を使って第１の通信装置４が使用するＴＸ  Ｐｒｅｓｅｔ（ＰＳ３ａ）を指定する。第１の通信装置４は、指定されたＴＸ  Ｐｒｅｓｅｔを第１レジスタ５０２に書込む。第２の通信装置４は、ＳＭＢｕｓ４１ｂ経由で第２レジスタ４４５にもＴＸ  Ｐｒｅｓｅｔ（ＰＳ３ａ）を書込む。
【００６３】
この状態で、第２の通信装置４は、第１の通信装置４からの通信データのビット誤り率を計測する。第１の通信装置４は、送信する電気信号に対して第１レジスタ５０２が記憶するＴＸ  Ｐｒｅｓｅｔ（ＰＳ３ａ）に対応したイコライゼーションを付与する。光通信経路では、イコライゼーション情報は失われている。しかし、第２の通信装置４は、受信する電気信号に対して、第２レジスタ４４５が記憶しているＴＸ  Ｐｒｅｓｅｔ（ＰＳ３ａ）に対応するイコライゼーションを付与することができる。
【００６４】
したがって、送受信側の電気信号に同一のイコライゼーションが付与されることになる。つまり、電気信号伝送経路での信号劣化を抑えることが可能になる。ビット誤り率が１０ｅ−１２以下になっていない場合には、第２の通信装置４は、ＴＸ  Ｐｒｅｓｅｔ（ＰＳ３ａ）とは異なるＴＸ  Ｐｒｅｓｅｔ（ＰＳ３ｂ）を改めて指定する。第２の通信装置４は、ＴＸ  Ｐｒｅｓｅｔの調整はビット誤り率が１０ｅ−１２以下になるまで、ＴＸ  Ｐｒｅｓｅｔの指定を繰り返す。
【００６５】
イコライゼーションの最適化が完了した後には、第１の通信装置４及び第２の通信装置４それぞれの第１レジスタ５０２及び第２レジスタ４４５にＰｒｅｓｅｔ値が保持される。つまり、第１の通信装置４及び第２の通信装置４は、双方向でイコライゼーションを行うことができ、双方向の通信を高い信号品質で行うことができる。
【符号の説明】
【００６６】
１  通信システム
１０  送信装置
１２  受信装置
１４  光通信路
１６  信号補正部
２  電光変換部（ＥＯ変換部）
２０  送信信号変換部
２００  Ａ／Ｄ変換部
２２  駆動回路
２４  発光部
３  光電変換部（ＯＥ変換部）
３０  受光部
３２  受信信号変換部
３２０  Ｄ／Ａ変換部
３４  分光器
４  通信装置
４０  ＣＰＵ
４２  メモリ
４４  光トランシーバ
４４０  電光変換部
４４１  送信処理部
４４２  光電変換部
４４３  受信処理部
４４４  ＥＱ設定テーブル
４４５  第２レジスタ
４６  コントローラハブ
５０  ＰＣＩｅコントローラ
５００  プロトコル制御部
５０２  第１レジスタ
５０４  Ｓ−Ｐ変換器
５０６  トランシーバ
【先行技術文献】
【特許文献】
【００６７】
【特許文献１】特開２０１０−２４５６１６号公報
【特許文献２】特開２０１１−１３０２３１号公報
【特許文献３】特開２００７−２４３８０２号公報
【図１】
2013153259.tif 000003
【図２】
2013153259.tif 000004
【図３】
2013153259.tif 000005
【図４】
2013153259.tif 000006
【図５】
2013153259.tif 000007
【図６】
2013153259.tif 000008
【図７】
2013153259.tif 000009
【図８】
2013153259.tif 000010
【図９】
2013153259.tif 000011